(57)【特許請求の範囲】
【請求項１】
ドレンを貯留可能な本体容器部と、該本体容器部の対向面に対し、上方から見て一直線上に位置するよう設けられた流入口および流出口と、前記本体容器部内に設置されて、前記流入口に取付けられたトラップ部および前記流出口に取付けられたフロート弁部とを分離して別々に備えたドレントラップ装置において、
前記ドレンが建物内に設けられた空調装置から発生したものであり、
前記本体容器部が建物の天井部の上部に設置され、
前記本体容器部および本体容器部に取付けられる蓋体が保温材を備えると共に、
前記トラップ部と前記フロート弁部とを、前記流入口と流出口とを結ぶ線に関して異なる側に位置するように上方から見て互いに反対側へ向け屈曲配置したことを特徴するドレントラップ装置。
【請求項２】
前記トラップ部と前記フロート弁部とを、相互に支持させたことを特徴とする請求項１記載のドレントラップ装置。
【請求項３】
前記流入口とトラップ部との間、または、前記流出口とフロート弁部との間の少なくとも一方に、互いの周方向の位置ズレを目視確認可能な位置ズレ確認部を設けたことを特徴とする請求項１または請求項２記載のドレントラップ装置。
【請求項４】
前記位置ズレ確認部が、前記流入口とトラップ部との間、または、前記流出口とフロート弁部との間の少なくとも一方に設けられた、対を成す位置合用指標であることを特徴とする請求項３記載のドレントラップ装置。
【請求項５】
前記流入口または流出口に外部のドレン管を接続するための接続用部材が取付けられ、
該接続用部材に前記トラップ部またはフロート弁部が螺着され、
前記接続用部材が、
前記流入口または流出口に挿通配置可能なスリーブ部と、
該スリーブ部の内方端部またはその近傍の外周面に設けられて、本体容器部の内面に係止可能なフランジ部と、
前記スリーブ部の外周面に形成されて、本体容器部の外面側からナット部材を螺着することにより、ナット部材と前記フランジ部との間で本体容器部を挟着固定可能な雄ネジ部と、
前記スリーブ部の内周面に形成されて、前記トラップ部またはフロート弁部の端部を螺合可能な雌ネジ部とを備えたフランジ付スリーブ部材を有し、
前記位置ズレ確認部が、前記フランジ付スリーブ部材のフランジ部と、トラップ部またはフロート弁部とに対して、周方向の位置が合致した時に連続するよう互いに指し示し合う位置に設けられたことを特徴とする請求項３または請求項４記載のドレントラップ装置。
【発明の詳細な説明】
【技術分野】
【０００１】
この発明は、空調装置のドレン配管に設けられるドレントラップ装置に関するものである。
【背景技術】
【０００２】
病院や工場や事務所ビルなどの建物や施設には、大型の空調装置が設けられている。この空調装置には、発生したドレンを排出するためのドレン配管が接続されている。
そして、このような大型の空調装置のドレン配管に対し、近年、ドレントラップ装置を設ける必要性が高まっている。このドレントラップ装置は、ドレン配管内における汚染空気の空調装置への逆流や害虫の侵入を防止して、衛生的環境を確保し得るようにしたものである。
【０００３】
このようなドレントラップ装置には、例えば、特許文献１に開示されたようなものが存在している。このドレントラップ装置は、ドレンを貯留可能な本体容器部と、この本体容器部の対向面に対し、上方から見て一直線上に位置するよう設けられた流入口および流出口と、本体容器部内に設置されたキャッチ機構とを備えている。このキャッチ機構は、流入口に取付けられたトラップ部と、流出口に取付けられたフロート弁部とで構成されている。このうち、トラップ部は、特殊フロートボールからなる逆止弁機構を有するものである。
【先行技術文献】
【特許文献】
【０００４】
【特許文献１】実公昭５５−５１９０２号公報
【発明の概要】
【発明が解決しようとする課題】
【０００５】
しかしながら、上記特許文献１に記載されたドレントラップ装置には、以下のような問題があった。
【０００６】
即ち、ドレントラップ装置は、ドレン配管の途中に設けられるものであることから、ドレン配管の取回し上、流入口および流出口を、上方から見て一直線上に配置する必要があるが、このようにすると、本体容器部内に設置されたトラップ部とフロート弁部とが、上方から見て一直線上に並ぶことになるため、本体容器部が、必要以上にドレン配管の延設方向に長く大きなものとなっていた。
【０００７】
これに対し、建物や施設に設けられる大型の空調装置やそのドレン配管は、通常、天井またはそれよりも上側の狭小なスペースに設置されるものであるので、ドレントラップ装置をよりコンパクトなものにしたいという要望があった。
【課題を解決するための手段】
【０００８】
上記課題を解決するために、請求項１の発明は、ドレンを貯留可能な本体容器部と、該本体容器部の対向面に対し、上方から見て一直線上に位置するよう設けられた流入口および流出口と、前記本体容器部内に設置されて、前記流入口に取付けられたトラップ部および前記流出口に取付けられたフロート弁部とを分離して別々に備えたドレントラップ装置において、前記ドレンが建物内に設けられた空調装置から発生したものであり、前記本体容器部が建物の天井部の上部に設置され、前記本体容器部および本体容器部に取付けられた蓋体が保温材を備えると共に、前記トラップ部と前記フロート弁部とを、前記流入口と流出口とを結ぶ線に関して異なる側に位置するように上方から見て互いに反対側へ向け屈曲配置したことを特徴としている。
請求項２の発明は、前記トラップ部と前記フロート弁部とを、相互に支持させたことを特徴としている。
請求項３の発明は、前記流入口とトラップ部との間、または、前記流出口とフロート弁部との間の少なくとも一方に、互いの周方向の位置ズレを目視確認可能な位置ズレ確認部を設けたことを特徴としている。
請求項４の発明は、前記位置ズレ確認部が、前記流入口とトラップ部との間、または、前記流出口とフロート弁部との間の少なくとも一方に設けられた、対を成す位置合用指標であることを特徴としている。
請求項５の発明は、前記流入口または流出口に外部のドレン管を接続するための接続用部材が取付けられ、該接続用部材に前記トラップ部またはフロート弁部が螺着され、前記接続用部材が、前記流入口または流出口に挿通配置可能なスリーブ部と、該スリーブ部の内方端部またはその近傍の外周面に設けられて、本体容器部の内面に係止可能なフランジ部と、前記スリーブ部の外周面に形成されて、本体容器部の外面側からナット部材を螺着することにより、ナット部材と前記フランジ部との間で本体容器部を挟着固定可能な雄ネジ部と、前記スリーブ部の内周面に形成されて、前記トラップ部またはフロート弁部の端部を螺合可能な雌ネジ部とを備えたフランジ付スリーブ部材を有し、前記位置ズレ確認部が、前記フランジ付スリーブ部材のフランジ部と、トラップ部またはフロート弁部とに対して、周方向の位置が合致した時に連続するよう互いに指し示し合う位置に設けられたことを特徴としている。
【発明の効果】
【０００９】
請求項１の発明によれば、建物内に設けられた空調装置から発生したドレンを排出するために建物の天井部の上部に設置され、保温材を備えて結露防止可能とした本体容器部および蓋体の内部に別々に分離して備えられたトラップ部とフロート弁部とを、流入口と流出口とを結ぶ線に関して異なる側に位置するように上方から見て互いに反対側へ向け屈曲配置したことにより、分離されたトラップ部とフロート弁部とが、流入口と流出口との対向方向に対して一部重複されるようになるので、その分、本体容器部をコンパクトなものとすることができる。
請求項２の発明によれば、トラップ部とフロート弁部とを相互に支持させることにより、トラップ部やフロート弁部のフラ付きを防止したり、両者の強度を落して軽量化を図ることなどが可能となる。
請求項３の発明によれば、流入口とトラップ部との間、または、流出口とフロート弁部との間の少なくとも一方に位置ズレ確認部を設けたことにより、互いの周方向の位置ズレを目視確認することが可能となる。これにより、流入口や流出口に外部のドレン管を接続する際に、トラップ部やフロート弁部が連れ回りによって傾いてしまうことを防止し、トラップ部やフロート弁部が機能を充分に果たせなくなるのを防止することができる。
請求項４の発明によれば、位置ズレ確認部として、流入口とトラップ部との間、または、流出口とフロート弁部との間の少なくとも一方に、対を成す位置合用指標を設けたことにより、対の位置合用指標が合うようにトラップ部やフロート弁部を周方向へ動かすことによって、簡単にこれらの周方向の位置ズレを修整することが可能となる。
請求項５の発明によれば、位置ズレ確認部を、フランジ付スリーブ部材のフランジ部と、トラップ部またはフロート弁部とに対して、周方向の位置が合致した時に連続するよう互いに指し示し合う位置に設けられたことにより、最も見易い位置に直感的に分かり易いように位置ズレ確認部を設けることが可能となり、位置ズレの修整忘れを無くすことや減らすことが可能となる。
【図面の簡単な説明】
【００１０】
【図１】本発明の実施例１にかかるドレントラップ装置の側方から見た構成図である。
【図２】図１のドレントラップ装置をほぼ流入口側から見た斜視図である。
【図３】図１のドレントラップ装置をほぼ流出口側から見た斜視図である。
【図４】図１のドレントラップ装置の容器蓋体を取外した平面図である。
【図５】蓋部を取外した図４と同様の平面図である。
【図６】流入口および流出口を雌ネジ状の接続用ソケットとしたドレントラップ装置の側面図である。
【図７】流入口および流出口を差口部としたドレントラップ装置の側面図である。
【図８】流入口および流出口を受口部としたドレントラップ装置の側面図である。
【図９】本発明の実施例２にかかるドレントラップ装置の位置ズレ確認部周辺の部分拡大図である。
【図１０】図９の側方断面図である。
【図１１】図９の流入口または流出口の正面図である。
【発明を実施するための形態】
【００１１】
以下、本実施の形態を具体化した実施例を、図面を用いて詳細に説明する。
【００１２】
図１〜図８は、実施例１およびその変形例を示すものである。
【実施例１】
【００１３】
＜構成＞以下、この実施例の構成について説明する。
【００１４】
図１（併せて図２、図３も参照）に示すように、病院や工場や事務所ビルなどの建物や施設に対し、大型の空調装置Ａが設けられる。この空調装置Ａには、発生したドレンを排出するためのドレン配管Ｂが接続される。このドレン配管Ｂは、自然流下によってドレンを排出させるための排水勾配が設けられている。
そして、このような大型の空調装置Ａのドレン配管Ｂの中途部に対し、ドレントラップ装置Ｃが備えられる。このドレントラップ装置Ｃは、ドレン配管Ｂ内における汚染空気の空調装置Ａへの逆流や害虫の侵入を防止して、衛生的環境を確保し得るようにしたものである。
【００１５】
このドレントラップ装置Ｃは、ドレンを貯留可能な本体容器部１と、この本体容器部１の対向面１ａ，１ｂに対し、上方から見て一直線上に位置するよう設けられた流入口２および流出口３と、本体容器部１内に設置されたキャッチ機構とを備えている。このキャッチ機構は、流入口２に取付けられたトラップ部４と、流出口３に取付けられたフロート弁部５とのうちの少なくとも一方で構成される。この場合には、トラップ部４と、フロート弁部５とは、２つ共備えられている。このうち、トラップ部４は、特殊フロートボール（後述するフロートボール４ｆ、図５参照）からなる逆止弁機構を有するものである。
【００１６】
ここで、上記した本体容器部１は、上端に開口部１ｃを有する矩形容器状をしている。本体容器部１上端の開口部１ｃには、容器蓋体１１が開閉可能に取付けられる。本体容器部１は、例えば、上記した建物や施設の天井部１２の上部に設置される。容器蓋体１１は、本体容器部１に、蝶ネジなどによって着脱可能に取付けられる。本体容器部１や容器蓋体１１は、それぞれ樹脂製のものなどとされている。
【００１７】
流入口２および流出口３は、上方から見てドレン配管Ｂの延設方向に沿って一直線上に配置される。上記した流入口２には、空調装置Ａのドレンパン１３に取付けられた上流側のドレン管１４が接続される。また、流出口３は、流入口２よりも低い位置に設けられると共に、流出口３には、下流側のドレン管１５が接続される。この場合、流入口２および流出口３には、ドレン管１４，１５に対する接続用部材として、接続用ソケット１６，１７が取付けられている。この場合、接続用ソケット１６，１７は、金属製の雌ネジ状をしたものなどとされている。
【００１８】
上記したキャッチ機構は、機能的および構造的な面から、上記したようにトラップ部４とフロート弁部５とに分離されている。トラップ部４とフロート弁部５とは、それぞれ樹脂製のものなどとされている。
【００１９】
上記したトラップ部４は、側面視ほぼＵ字状をして、内部にドレンを所要量貯留することにより、封水機能を果たすようにしたものである。このＵ字状のトラップ部４は、少なくとも３個のエルボ部材４ａ〜４ｃと短管部４ｄとを、側面視Ｕ字状となるよう流入口２側から順に連結して構成される。
そして、エルボ部材４ｃと短管部４ｄとの境界部分近傍またはそれよりも上方の側面には、図５に示すように、トラップ部４の内部と本体容器部１の内部とを連通可能な側部開口部４ｅが設けられると共に、エルボ部材４ｃと短管部４ｄとの境界部分近傍の内部には、トラップ部４内部の封水の水位に応じて昇降することにより、上記側部開口部４ｅを開閉可能なフロートボール４ｆが挿入設置されている。
この側部開口部４ｅは、流入口２と流出口３とのほぼ中間位の高さに単数または複数個設けられる。フロートボール４ｆは、内部の封水に浮かんだ状態で設置されると共に、側部開口部４ｅから出られないように、側部開口部４ｅよりも大きなものとされる。
そして、フロートボール４ｆは、側部開口部４ｅが常時閉となる状態とされており、ドレンの排出時にフロートボール４ｆが浮上してドレンを本体容器部１内へ流出させるように機能する。
更に、軸線を上下方向へ向けて設置された短管部４ｄの上端開口部には、メンテナンス時に開閉可能な蓋部１８が取付けられている。この蓋部１８と短管部４ｄの上端開口部との間には、図示しないネジ部が設けられている。
【００２０】
一方、上記したフロート弁部５は、側面に側部開口部が設けられた短管部５ａによって主に構成されている。この短管部５ａの側部開口部は、後述するエルボ部材２２を介して間接的に流出口３に接続される。そして、短管部５ａは、その軸線を上下方向へ向けて設置されると共に、その下端開口部に、本体容器部１内部の水位によって上記下端開口部を開閉可能なフロート弁５ｂが取付けられる。
このフロート弁５ｂは、フロート状の弁体（フロート板）が水位に応じて昇降することにより弁座を開閉し得るようにしたものであり、このフロート弁５ｂは、流出口３よりも低い位置に設けられる。
そして、フロート弁５ｂは、本体容器部１内に一定量以上のドレンが貯留された時に開弁してドレンを本体容器部１外へ排出させるように機能する。
更に、短管部５ａの上端開口部には、メンテナンス時に開閉可能な蓋部１９が取付けられている。この蓋部１９と短管部５ａの上端開口部との間には、図示しないネジ部が設けられている。
【００２１】
そして、以上のような基本構成に対し、この実施例のものでは、以下のような構成を備えるようにしている。
【００２２】
（構成１）
図４、図５に示すように、トラップ部４とフロート弁部５とを、上方から見て互いに反対側（または逆方向）へ向くように屈曲配置する。
【００２３】
ここで、上方から見て互いに反対側とは、流入口２と流出口３とを結ぶ線に関して互いに異なる側ということである。
そのために、トラップ部４については、エルボ部材４ａとエルボ部材４ｂとの間の水平接続部分２１の固定角度を周方向に所要量ズラせるようにする。この場合には周方向に４５度ズラせているが、これに限るものではない。
【００２４】
また、フロート弁部５については、短管部５ａと流出口３との間に、所要角度の屈曲形状を有するエルボ部材２２を横向きにして介在させるようにする。この場合、エルボ部材２２は４５度に屈曲したもの（４５度エルボ）などを用いているが、これに限るものではない。
【００２５】
以上により、トラップ部４の短管部４ｄと、フロート弁部５の短管部５ａとを流入口２と流出口３とを結ぶ直線の方向（対向方向またはドレン配管Ｂの延設方向）に対して一部重複させるようにする。そして、重複した分だけ、本体容器部１の上記直線の方向の長さを短くして、本体容器部１の上記直線と直交する方向の長さを若干長くする。この場合には、本体容器部１をほぼ正方形に近い平面形状としている。
【００２６】
（構成２）
必要に応じて、トラップ部４とフロート弁部５とを、相互に支持させるようにする。
【００２７】
即ち、トラップ部４とフロート弁部５とを互いに接触させて、相互に支持し合うようにする。或いは、トラップ部４とフロート弁部５との間に、図示しない連結部や支持部を設けるようにする。
【００２８】
また、上記以外の構成として、本体容器部１や容器蓋体１１の外面に、結露を防止可能な保温材２３を設けるようにする。なお、容器蓋体１１外面の保温材２３については、図示を省略している。
【００２９】
更に、別の構成として、図４に示すように、蓋部１８の上面に、蓋部１８を開閉（回転操作）する際に手で把持可能な把持部１８ａを一体に突設する。この把持部１８ａを、蓋部１８と同心の円弧状のものとし、複数本（特に偶数本）設けるようにする（この場合には４本としている）。そして、各円弧状の把持部１８ａの両端部に、指が引掛かるようにした指掛部１８ｂを外周側へ向けて一体に突出形成する。更に、隣接する円弧状の把持部１８ａの端部間に、棒状の工具を直径方向へ挿入して蓋部１８を回転操作可能な工具挿入用間隙部１８ｃを設けるようにする。
【００３０】
同様に、蓋部１９の上面に、蓋部１９を開閉（回転操作）する際に手で把持可能な把持部１９ａを一体に突設する。この把持部１９ａを、蓋部１９と同心の円弧状のものとし、複数本（特に偶数本）設けるようにする（この場合には４本としている）。そして、各円弧状の把持部１９ａの両端部に、指が引掛かるようにした指掛部１９ｂを外周側へ向けて一体に突出形成する。更に、隣接する円弧状の把持部１９ａの端部間に、棒状の工具を直径方向へ挿入して蓋部１９を回転操作可能な工具挿入用間隙部１９ｃを設けるようにする。
【００３１】
更に、変形例として、流入口２および流出口３には、ドレン管１４，１５への接続用部材として、図６に示すように、金属製の雄ネジ状をした接続用ソケット２４を設けることができる。または、流入口２および流出口３に、ドレン管１４，１５への接続用部材として、図７に示すような本体容器部１と一体の樹脂製の差口部２５を設けたり、図８に示すような本体容器部１と一体の樹脂製の受口部２６を設けたりすることができる。
【００３２】
＜作用＞以下、この実施例の作用について説明する。
【００３３】
空調装置Ａのドレンパン１３に溜まったドレンは、上流側のドレン管１４および流出口３を介してトラップ部４へ導入され、トラップ部４による封水に利用される。これにより、ドレン管１４，１５内における汚染空気の空調装置Ａへの逆流や害虫の侵入を防止して、衛生的環境を確保し得るようにする。
【００３４】
そして、トラップ部４内のドレン（封水）の水位が側部開口部４ｅよりも高くなった時に、封水に浮かべられたフロートボール４ｆの位置が高くなって側部開口部４ｅを開き、ドレンをトラップ部４から本体容器部１内へと排出させる。反対に、排出によりトラップ部４内のドレンの水位が側部開口部４ｅよりも低くなると、フロートボール４ｆの位置が低くなって側部開口部４ｅを閉じ、ドレンの排出を停止する。これにより、トラップ部４内の封水が所定レベルに保持される。
【００３５】
こうして本体容器部１内にドレンが排出されるが、本体容器部１内に溜まったドレンの水位がフロート弁部５におけるフロート弁５ｂの位置よりも高くなると、弁体（フロート板）がドレンに浮くことによりフロート弁５ｂが開いて、ドレンがフロート弁５からドレン管１５へと排出される。反対に、排出により本体容器部１内のドレンの水位がフロート弁５ｂの位置よりも低くなると、フロート弁５ｂが閉じてドレンの排出を停止する。これにより、本体容器部１内に所定レベル以下のドレンが貯留されることなる。なお、冬場や夏場などに蒸発などによって本体容器部１内のドレンやトラップ部４内の封水がなくなったとしても、フロート弁５ｂが閉じていることによって、防臭、防虫効果を発揮することができる。
【００３６】
また、メンテナンス時には、本体容器部１上端の容器蓋体１１を外すと共に、トラップ部４の蓋部１８およびフロート弁部５の蓋部１９を取外すようにする。蓋部１８および蓋部１９は、把持部１８ａ，１９ａや、指掛部１８ｂ，１９ｂや、工具挿入用間隙部１８ｃ，１９ｃを備えることにより、手や工具を用いて簡単に開け閉めすることができる。
【００３７】
＜効果＞この実施例によれば、以下のような効果を得ることができる。
【００３８】
（効果１）
トラップ部４とフロート弁部５とを、上方から見て、互いに反対側へ向くように屈曲配置させたことにより、トラップ部４とフロート弁部５とが、流入口２と流出口３との対向方向に対して一部重複されるようになるので、その分、本体容器部１をコンパクトなものとすることができる。
【００３９】
（効果２）
トラップ部４とフロート弁部５とを相互に支持させることにより、トラップ部４やフロート弁部５のフラ付きを防止したり、両者の強度を落して軽量化を図ることなどが可能となる。
【実施例２】
【００４０】
図９〜図１１は、実施例２を示すものである。
＜構成＞以下、この実施例の構成について説明する。
なお、この実施例は、上記実施例１と基本的に同じ構造を有しているので、実施例１と同一の部分については説明を省略すると共に、実施例１と異なる部分についてのみ説明する。但し、実施例１と同一の部分については実施例１の記載を持ってこの実施例の記載とする。
【００４１】
（構成３）
図９〜図１１に示すように、上記した流入口２とトラップ部４との間、または、流出口３とフロート弁部５との間の少なくとも一方に、互いの周方向の位置ズレを目視確認可能な位置ズレ確認部３１を設ける。
ここで、位置ズレ確認部３１は、目視確認が行えるのであれば、どのようなものであっても良い。
【００４２】
（構成４）
そして、上記した位置ズレ確認部３１を、流入口２とトラップ部４との間、または、流出口３とフロート弁部５との間の少なくとも一方に設けられた、対を成す位置合用指標３２，３３とする。
ここで、位置合用指標３２，３３は、点や線や矢印やその他の形状のマークなどとすることができる。この位置合用指標３２，３３は、平面的なものや、立体的なもの（凹形状や凸形状など）とすることができる。
【００４３】
（構成５）
より具体的には、図１０に示すように、上記流入口２または流出口３に、外部のドレン管１４，１５を接続するための接続用部材（接続用ソケット１６，１７（図１参照）、接続用ソケット２４（図６参照））が取付けられる。この接続用部材に上記トラップ部４またはフロート弁部５が螺着される。
そして、上記接続用部材が、流入口２または流出口３に挿通配置可能なスリーブ部３４と、このスリーブ部３４の内方端部またはその近傍の外周面に設けられて、本体容器部１の内面に係止可能なフランジ部３５と、上記スリーブ部３４の外周面に形成されて、本体容器部１の外面側からナット部材３６を螺着することにより、ナット部材３６と上記フランジ部３５との間で本体容器部１を挟着固定可能な雄ネジ部３７と、上記スリーブ部３４の内周面に形成されて、上記トラップ部４またはフロート弁部５の端部を螺合可能な雌ネジ部３８とを備えたフランジ付スリーブ部材３９を有している。なお、トラップ部４またはフロート弁部５の端部外周には、トラップ部４またはフロート弁部５の端部の螺じ込み量を概略規制するためのフランジＦが形成されている。
そして、上記位置ズレ確認部３１（の対を成す位置合用指標３２，３３）が、上記フランジ付スリーブ部材３９のフランジ部３５と、トラップ部４またはフロート弁部５とに対して、周方向の位置が合致した時に連続するよう互いに指し示し合う位置に設けられる。
【００４４】
ここで、ドレン管１４，１５には、上記した雄ネジ部３７または雌ネジ部３８に対して螺合可能な図示しない雌ネジ部または雄ネジ部が設けられる。また、トラップ部４またはフロート弁部５の端部には、雌ネジ部３８に対して螺合可能な雄ネジ部４１が形成される。
そして、位置合用指標３２は、フランジ部３５の内面上部に位置するよう設けられている。この場合、位置合用指標３２は、上下方向へ延びる直線状の突条などとされている。また、位置合用指標３３は、トラップ部４またはフロート弁部５の端部の外周面上部に位置するよう設けられている。この場合、位置合用指標３３は、軸線方向へ延びる直線状の突条などとされている。
【００４５】
更に、図１１に示すように、流入口２または流出口３の縁部には、フランジ付スリーブ部材３９の周方向の位置を規定するための凹部４２（切欠形状部）が形成される。これに応じて、フランジ付スリーブ部材３９の外周面には、図１０に示すように、凹部４２に対して周方向に係合可能な係合凸部４３が形成される。凹部４２および係合凸部４３は、流入口２または流出口３に対し、１箇所以上設けられる。この場合には、流入口２または流出口３の上下に２箇所に設けられている。但し、上記以外の位置に対し、１箇所または３箇所以上設けるようにしても良い。なお、この凹部４２および係合凸部４３は、製造誤差や組付誤差などの影響を吸収するために、両者間に、周方向などに対する若干のガタ隙間などを有するものとされる。
【００４６】
＜作用＞以下、この実施例の作用について説明する。
本体容器部１の流入口２や流出口３に対して接続用部材（接続用ソケット１６，１７、接続用ソケット２４）を取付ける場合、先ず、本体容器部１の内側から流入口２または流出口３へフランジ付スリーブ部材３９を通して、フランジ付スリーブ部材３９のフランジ部３５を本体容器部１の内面に対し面直方向に係止させる。次に、スリーブ部３４の外周面に形成された雄ネジ部３７に本体容器部１の外面側からナット部材３６を螺着する。この際、流入口２または流出口３の縁部に設けられた凹部４２に、フランジ付スリーブ部材３９の外周面に設けられた係合凸部４３を係合させて、位置合用指標３２を、フランジ部３５の内面上部に位置させるようにする。
こうして、流入口２や流出口３に対して接続用部材（接続用ソケット１６，１７、接続用ソケット２４）が取付けられたら、フランジ付スリーブ部材３９の内周面にトラップ部４またはフロート弁部５を螺着する。この際、位置合用指標３３を、トラップ部４またはフロート弁部５の端部の外周面上部に位置させるようにする。この時、位置合用指標３２と位置合用指標３３とは、予め周方向の位置を合わせておくようにするのが好ましい。なお、流入口２や流出口３に螺着されるトラップ部４またはフロート弁部５は、完成状態のものであっても、分解状態のものであっても良い。
【００４７】
そして、上記したようにドレントラップ装置Ｃが組立てられて、現場に設置されると、上記した接続用部材（接続用ソケット１６，１７、接続用ソケット２４）に対してドレン管１４，１５が接続されることになる。
この際、接続用部材（接続用ソケット１６，１７、接続用ソケット２４）にドレン管１４，１５が螺着されるが、この時、流入口２または流出口３の縁部に設けられた凹部４２と、フランジ付スリーブ部材３９に設けられた係合凸部４３との間には若干のガタ隙間があるので、ガタ隙間の分だけ、フランジ付スリーブ部材３９が回動され、これに伴って、フランジ付スリーブ部材３９に螺着されたトラップ部４またはフロート弁部５も連れ回りされる。そして、接続用部材（接続用ソケット１６，１７、接続用ソケット２４）へのドレン管１４，１５の螺着が完了した時に、上記した僅かな連れ回りの蓄積により、トラップ部４またはフロート弁部５が、気づかないうちに周方向へ位置ズレしているおそれがある。このように、トラップ部４またはフロート弁部５が周方向へ位置ズレしていると、トラップ部４やフロート弁部５が傾いて機能を充分に果たせなくなるおそれがある。
【００４８】
＜効果＞この実施例によれば、以下のような効果を得ることができる。
（効果３）
流入口２とトラップ部４との間、または、上記流出口３とフロート弁部５との間の少なくとも一方に位置ズレ確認部３１を設けたことにより、互いの周方向の位置ズレを正確に目視確認することが可能となる。これにより、流入口２や流出口３に外部のドレン管１４，１５を接続する際などに、トラップ部４やフロート弁部５が連れ回りによって傾いてしまうことを防止し、トラップ部４やフロート弁部５が機能を充分に果たせなくなるのを防止することができる。
【００４９】
（効果４）
位置ズレ確認部３１として、流入口２とトラップ部４との間、または、流出口３とフロート弁部５との間の少なくとも一方に、対を成す位置合用指標３２，３３を設けたことにより、対の位置合用指標３２，３３が互いに合致するようにトラップ部４やフロート弁部５を周方向へ動かすことによって、簡単にこれらの周方向の位置ズレを修整することが可能となる。
【００５０】
（効果５）
位置ズレ確認部３１を、フランジ付スリーブ部材３９のフランジ部３５と、トラップ部４またはフロート弁部５とに対して、周方向の位置が合致した時に連続するよう互いに指し示し合う位置に設けられたことにより、最も見易い位置に直感的に分かり易いように位置ズレ確認部３１を設けることが可能となり、位置ズレの修整忘れを無くすことや減らすことが可能となる。
【００５１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５２】
Ａ    空調装置
Ｂ    ドレン配管
Ｃ    ドレントラップ装置
１    本体容器部
１ａ，１ｂ  対向面
２    流入口
３    流出口
４    トラップ部
５    フロート弁部
１６  接続用ソケット（接続用部材）
１７  接続用ソケット（接続用部材）
２４  接続用ソケット（接続用部材）
３１  位置ズレ確認部
３２  位置合用指標
３３  位置合用指標
３４  スリーブ部
３５  フランジ部
３６  ナット部材
３７  雄ネジ部
３８  雌ネジ部
３９  フランジ付スリーブ部材
【図１】
0005837791.tif 000002
【図２】
0005837791.tif 000003
【図３】
0005837791.tif 000004
【図４】
0005837791.tif 000005
【図５】
0005837791.tif 000006
【図６】
0005837791.tif 000007
【図７】
0005837791.tif 000008
【図８】
0005837791.tif 000009
【図９】
0005837791.tif 000010
【図１０】
0005837791.tif 000011
【図１１】
0005837791.tif 000012